(57)【要約】【課題】  電波法の規制内で限られた出力の無線タグからの電波を効率良く空間に輻射させてその到達距離を伸ばすことができる。【解決手段】  無線タグ７は、基本波を定期的に発振してＩＤコードを変調した電磁波をアンテナ７ｂから送信する。無線タグ７の近傍には静電結合式近接アンテナ２５が設置されているので、無線タグ７から送信された電磁波は、静電結合式近接アンテナに誘起し、静電結合式近接アンテナ２５から電磁界が２次輻射される。さらに無線タグ７の近傍に静電結合式近接アンテナ２５お呼び近接磁界アンテナを設置した場合、電磁界のうちの電界成分が支配的な輻射がまず行われ、それがタグ外部の静電結合方式近接アンテナ２５へ、静電結合により結合され、ここから電磁界成分として空間へエネルギー輻射される。さらにこのエネルギー輻射された電磁波のうちの磁界成分が、近接磁界アンテナ９へ結合し、磁界成分として空間へ再輻射される。【選択図】  図３
2007174582.tif 000002
【特許請求の範囲】
【請求項１】
電磁波を送信するアンテナを内蔵した無線タグに近接し、当該アンテナの一方の面に対向するように設置された静電結合式近接電界アンテナを有し、
前記無線タグから電界成分が支配的な輻射がなされ、この輻射により前記静電結合方式近接アンテナへ静電結合によりエネルギー結合され電磁界成分として空間へエネルギー輻射さることを特徴とする小電力無線装置。
【請求項２】
前記静電結合式近接電界アンテナは、
前記無線タグに内蔵したアンテナの一方の面に対向するように設置された平板状の導体で形成されることを特徴とする請求項１記載の小電力無線装置。
【請求項３】
前記静電結合式近接電界アンテナは、
前記導体の面に対して、樹脂からなる１対の薄シールを両面から貼り付けてなる多層シールに収納されることを特徴とする請求項２記載の小電力無線装置。
【請求項４】
前記静電結合式近接電界アンテナは、
前記無線タグを収納したケースの一側面に導体を接続してなり、この導体の面に対して、樹脂からなる薄シールを貼り付けて収納されることを特徴とする請求項２記載の小電力無線装置。
【請求項５】
前記静電結合式近接電界アンテナは、
前記導体の面に対して、樹脂液を塗布して収納されることを特徴とする請求項２記載の小電力無線装置。
【請求項６】
前記無線タグを収納するとともに、
前記静電結合式近接電界アンテナを収納した多層シールからなるカードを収納するカードケースからなることを特徴とする請求項３記載の小電力無線装置。
【請求項７】
電磁波を送信するアンテナを内蔵した無線タグに近接し、当該アンテナの一方の面に対向するように設置された静電結合式近接電界アンテナを有し、
前記静電結合式近接電界アンテナは、
平板状の導体で形成され、
前記無線タグから電界成分が支配的な輻射がなされ、この輻射により前記静電結合方式近接アンテナへ静電結合によりエネルギー結合され電磁界成分として空間へエネルギー輻射さることを特徴とする小電力無線装置。
【請求項８】
前記静電結合式近接電界アンテナは、
前記無線タグに内蔵したアンテナと対向するように設置された平板状の導体で形成され、前記無線タグから発生する電磁波の１／４波長の整数倍となる長さの導線を有していることを特徴とする請求項１記載の小電力無線装置。
【請求項９】
電磁波を送信するアンテナを内蔵した無線タグに近接し、当該アンテナに対向するように設置された静電結合式近接電界アンテナを有し、
前記無線タグに近接し、当該無線タグから送信された電磁波の周波数に共振する近接磁界アンテナを有し、
前記無線タグから電界成分が支配的な輻射がなされ、この輻射により前記静電結合方式近接アンテナへ静電結合によりエネルギー結合され電磁界成分として空間へエネルギー輻射され、このエネルギー輻射された電磁波のうちの磁界成分が近接磁界アンテナへ結合し磁界成分として空間へ２次輻射されることを特徴とする小電力無線装置。
【請求項１０】
前記近接磁界アンテナは、
前記無線タグから送信された電磁波の波長に対して、全周が０．５波長以下の導体の両端にコンデンサを接続してなる閉ループから形成されることを特徴とする請求項９記載の小電力無線装置。
【発明の詳細な説明】
【技術分野】
【０００１】
本発明は、物体や人体に装着してその存在を検知するために使用する無線タグの通信距離をより拡大することが可能な小電力無線装置に関する。
【背景技術】
【０００２】
従来の小電力無線装置としては、図１１に示す無線タグシステムが知られている。
【０００３】
人体３に装着された名札５に無線タグ７が収納されており、この無線タグ７から定期的にＩＤコードが付加された電磁波が周囲に送信され、この無線タグ７からの電磁波を受信機１で受信してＩＤコードを出力するようになっている（特許文献１）。
【０００４】
ところで、現在、日本国内で使用できる無線タグは概略して下記の４種類に大別される。
【０００５】
（１）１２５ＫＨｚ，１３５ＫＨｚ帯無線タグ
（２）１３ＭＨｚ帯無線タグ
（３）２．４ＧＨｚ帯無線タグ
（４）微弱電波型無線タグ
このうち（１）と（２）は、探索距離が数十ｃｍ程度の短距離探索タイプであり、（３）及び（４）は、探索距離が数ｍ〜十数ｍの長距離タイプである。
【０００６】
また、（３）はマイクロ波帯の性質上、直進性が顕著で通信距離を長くとり易いが、物陰などへ伝搬しにくい特性がある。電池を搭載したアクティブ型無線タグの場合、複雑な無線回路を内蔵しており、マイクロ波帯の電子デバイスは高価であるため、小型、低価格を要求される用途には適さない。
【０００７】
さらに、（４）は周波数の制限がないため、反射などの電波伝搬特性とアンテナサイズの点で有利な３００ＭＨｚ帯程度の周波数で用いる長距離通信性に優れたものがあり、ＵＨＦ帯の電子デバイスを用いるため低コストである。
【特許文献１】特開２００５−２７１０４号公報
【発明の開示】
【発明が解決しようとする課題】
【０００８】
しかしながら、電波法により規制された微弱電波の制限値は、無線タグから３ｍの距離において５４ｄＢμＶ／ｍ（５００μＶ／ｍ）以下の電界強度の送信出力でなければならない。このため、この送信出力によって到達距離がほぼ決定されてしまう。
【０００９】
また、無線タグは物体や人体に装着して使用するが、無線タグから輻射された電波は物体や人体に吸収されることがあり、理想空間に無線タグを置いた場合の性能に比べて、電波の到達距離が減少するといった問題があった。
【００１０】
本発明は、上記に鑑みてなされたもので、その目的としては、電波法の規制内で限られた出力の無線タグからの電波を、無線タグを装着する物体等の影響を受けにくくすることで、効率良く空間に輻射させてその到達距離を伸ばすことができる小電力無線装置を提供することにある。
【課題を解決するための手段】
【００１１】
請求項１記載の発明は、上記課題を解決するため、電磁波を送信するアンテナを内蔵した無線タグに近接し、当該アンテナの一方の面に対向するように設置された静電結合式近接電界アンテナを有し、前記無線タグから電界成分が支配的な輻射がなされ、この輻射により前記静電結合方式近接アンテナへ静電結合によりエネルギー結合され電磁界成分として空間へエネルギー輻射さることを要旨とする。
【００１２】
請求項２記載の発明は、上記課題を解決するため、前記静電結合式近接電界アンテナは、前記無線タグに内蔵したアンテナの一方の面に対向するように設置された平板状の導体で形成されることを要旨とする。
【００１３】
請求項３記載の発明は、上記課題を解決するため、前記静電結合式近接電界アンテナは、前記導体の面に対して、樹脂からなる１対の薄シールを両面から貼り付けてなる多層シールに収納されることを要旨とする。
【００１４】
請求項４記載の発明は、上記課題を解決するため、前記静電結合式近接電界アンテナは、前記無線タグを収納したケースの一側面に導体を接続してなり、この導体の面に対して、樹脂からなる薄シールを貼り付けて収納されることを要旨とする。
【００１５】
請求項５記載の発明は、上記課題を解決するため、前記静電結合式近接電界アンテナは、前記導体の面に対して、樹脂液を塗布して収納されることを要旨とする。
【００１６】
請求項６記載の発明は、上記課題を解決するため、前記無線タグを収納するとともに、前記静電結合式近接電界アンテナを収納した多層シールからなるカードを収納するカードケースからなることを要旨とする。
【００１７】
請求項７記載の発明は、上記課題を解決するため、電磁波を送信するアンテナを内蔵した無線タグに近接し、当該アンテナの一方の面に対向するように設置された静電結合式近接電界アンテナを有し、前記静電結合式近接電界アンテナは、平板状の導体で形成され、前記無線タグから電界成分が支配的な輻射がなされ、この輻射により前記静電結合方式近接アンテナへ静電結合によりエネルギー結合され電磁界成分として空間へエネルギー輻射さることを要旨とする。
【００１８】
請求項８記載の発明は、上記課題を解決するため、前記静電結合式近接電界アンテナは、前記無線タグに内蔵したアンテナと対向するように設置された平板状の導体で形成され、前記無線タグから発生する電磁波の１／４波長の整数倍となる長さの導線を有していることを要旨とする。
【００１９】
請求項９記載の発明は、上記課題を解決するため、電磁波を送信するアンテナを内蔵した無線タグに近接し、当該アンテナに対向するように設置された静電結合式近接電界アンテナを有し、前記無線タグに近接し、当該無線タグから送信された電磁波の周波数に共振する近接磁界アンテナを有し、前記無線タグから電界成分が支配的な輻射がなされ、この輻射により前記静電結合方式近接アンテナへ静電結合によりエネルギー結合され電磁界成分として空間へエネルギー輻射され、このエネルギー輻射された電磁波のうちの磁界成分が近接磁界アンテナへ結合し磁界成分として空間へ２次輻射されることを要旨とする。
【００２０】
請求項１０記載の発明は、上記課題を解決するため、前記近接磁界アンテナは、前記無線タグから送信された電磁波の波長に対して、全周が０．５波長以下の導体の両端にコンデンサを接続してなる閉ループから形成されることを要旨とする。
【発明の効果】
【００２１】
本発明によれば、電波法の規制内で限られた出力の無線タグからの電波を効率良く空間に輻射させてその到達距離を伸ばすことができる。
【００２２】
また無線タグには、その内部に磁界型アンテナを実装しているものが多いが、一部には電界型アンテナを実装しているものもある。この場合は、外部の近接アンテナに磁界型を用いても効率よく電磁界の結合が行われない。しかし本発明によれば、近接電界アンテナと近接磁界アンテナの両方を実装しているので、電界型アンテナを実装している無線タグに対しても、近接電界アンテナがまず、電磁界エネルギーをタグ内部から誘導され、そこから２次輻射された電磁界が効率よく近磁界アンテナへ誘導され、そこから効率よく空間に２次輻射される。しかも磁界型アンテナの動作インピーダンスは低いので、周囲の物体や人体の影響を受けがたい利点がある。
【発明を実施するための最良の形態】
【００２３】
本発明に係る実施の形態について図面を参照して説明する。
【００２４】
（第１の実施の形態）
本発明の第一の実施形態に係る動作原理を図１の小電力無線装置概念図を用いて説明する。
【００２５】
本発明では、まず図１に示す無線タグ７が、基本波を定期的に発振してＩＤコードを変調した電磁波を内蔵アンテナ７ｂから送信し、送信された電磁波のうち電界成分が支配的な輻射がまず行われる。それが静電結合式近接電界アンテナ２５へ静電結合によりエネルギー結合され、静電結合式近接電界アンテナ２５から電磁界成分として空間へ２次輻射される。これによって、従来の無線タグ７単体を用いる場合より空間を伝搬した電磁波が受信機１まで到達するときの到達距離を伸ばす効果を得ることができる。
【００２６】
また、以下に示すとおり内蔵アンテナ７ｂに電界型アンテナを採用している場合には、電磁波は近傍界領域（フレネル領域）では電磁波のうち電界成分が強く遠方界領域（フラウンホーファー領域）ではじめて、電界成分と磁界成分が等しい電磁波となって伝搬する。このため、近傍界領域では電界のみが支配的なので、近接アンテナとして磁界型アンテナを用いても、効率の良い電磁界の結合が行われない。
【００２７】
そこで本発明は、内蔵アンテナ７ｂから発信された電磁波を効率よく空間に輻射し、より受信機１まで到達するときの到達距離を伸ばすため、近接アンテナとして電界型アンテナを使用することを特徴としている。
【００２８】
以下に電界型アンテナから発信される電磁波の発信源からの距離と電磁波の強度の関係について示す。
【００２９】
ある空間の原点にある長さｌの電気ダイポールから距離ｒだけ離れた場所Pにおける電荷量をq(t) (tは時刻) とすると、電荷量の変化の割合が電流であるので、 
【数１】
2007174582.tif 000003
【００３０】
と微分の形で書き表すことができる。 
原点にz軸方向を向いた微小ダイポールがあったとき、図１１に示す点Pにおける微小ダイポールの電界E(t)および磁界H(t)を電荷量の変化q(t)で表現すると、 
【数２】
2007174582.tif 000004
【数３】
2007174582.tif 000005
【００３１】
となる。これらの式は極座標に基づいて表記されており、ｅr、ｅθ、ｅψは各々e方向、θ方向、ψ方向単位ベクトルである。またcは空間中の電磁波の伝搬速度である。 
これらの式でr-3に比例する項は静電磁場を作り出す項で、電気ダイポールの場合電界のみに存在する。 
r-2の項は誘導電磁場を発生させる項である。r-1項は放射界を作り出す項である。充分遠方であれば静電項、誘導項は放射項と比べてはるかに小さくなる。ゆえにダイポールから充分離れた場所における電界・磁界(遠方界という)は、
【数４】
2007174582.tif 000006
【数５】
2007174582.tif 000007
【００３２】
となる。方向単位ベクトルは直交しているので、遠方界では電界と磁界は直交し、波の進行方向に電界・磁界の成分がない。 
周波数領域表示では遠方界電界・磁界の各成分は、 
【数６】
2007174582.tif 000008
【数７】
2007174582.tif 000009
【００３３】
となる。 
ここで、遠方界電界と磁界の比ξを波動インピーダンスといい、以下の式で表される。
【数８】
2007174582.tif 000010
【００３４】
（数６）、（数７）より、近傍界領域では波源との距離ｒが短くなるほど波動インピーダンスξが大きくなることから、近傍界領域（フレネル領域）では電磁波のうち電界成分が強く、遠方界領域（フラウンホーファー領域）で磁場成分が強くなると言える。
【００３５】
図４に本発明の第１の実施の形態に係る小電力無線装置の構成を示す。
【００３６】
図４（ａ）にはアンテナに到来する電磁波を受信してこの電磁波に変調されているＩＤコードを抽出する受信機１を示し、図４（ｂ）にはアンテナシール２９が貼り付けられた無線タグ７からなる小電力無線装置を示し、図４（ｃ）には図４（ｂ）に示す無線タグ７とアンテナシール２９とをＡ−Ａ線で切断した場合の断面図を示す。
【００３７】
図４（ｃ）に示すように、無線タグ７は、集積回路素子を含む電子回路基板７ａ、アンテナ７ｂ及び電池７ｃを備え、電子回路基板７ａ上に設けられた集積回路素子により所定の信号処理を行い、基本波を定期的に発振してＩＤコードを変調した電磁波をアンテナを介して送信する。アンテナシール２９は、片面が無線タグ７のケースに接着面を介して接着するプラスチックの樹脂からなるシール層３１と、シール層３１の他面に接着させるプラスチックの樹脂からなるラミネート層３３と、シール層３１とラミネート層３３との間に収納された平板状の静電結合式近接電界アンテナ２５を備えている。
【００３８】
前記構成により、まず図４に示す無線タグ７が、基本波を定期的に発振してＩＤコードを変調した電磁波を内蔵アンテナ７ｂから送信し、送信された電磁波のうち電界成分が支配的な輻射がまず行われ、それが静電結合式近接電界アンテナ２５へ静電結合によりエネルギー結合され、静電結合式近接電界アンテナ２５から電磁界成分として空間へ２次輻射される。これによって、従来の無線タグ７単体を用いる場合より空間を伝搬した電磁波が受信機１まで到達するときの到達距離を伸ばす効果を得ることができる。
【００３９】
（第２の実施の形態）
図５に本発明の第２の実施の形態に係る小電力無線装置の構成を示す。図５（ａ）にはアンテナシール３５が貼り付けられた無線タグ７からなる小電力無線装置を示し、図５（ｂ）には無線タグ７とアンテナシール３５とをＣ−Ｃ線で切断した場合の断面図を示す。
【００４０】
図５（ｂ）に示すように、アンテナシール３５は、片面が無線タグ７のケースに接着面を介して接着するプラスチックの樹脂からなるシール層３７と、シール層３７と無線タグ７のケースとの間に収納された平板状の静電結合式近接電界アンテナ２５を備えている。
【００４１】
次に、図５を参照して、小電力無線装置の動作を説明する。
【００４２】
まず、無線タグ７は、基本波を定期的に発振してＩＤコードを変調した電磁波をアンテナ７ｂから送信する。無線タグ７のケースにはアンテナシール３５のシール層３７が接着されており、その内部には静電結合式近接電界アンテナ２５が収納されているので、無線タグ７から送信された電磁波は静電結合式近接電界アンテナ２５に誘起し、静電結合式近接電界アンテナ２５から電磁界が２次輻射される。
【００４３】
この結果、従来のように無線タグ７単体を用いる場合よりも、無線タグ７にアンテナシール２９を接着した小電力無線装置から送信される電磁波の方が効率的に空間に輻射されるので、空間を伝搬した電磁波が受信機１まで到達するときの到達距離を伸ばすことができる。
【００４４】
（第３の実施の形態）
図６に本発明の第３の実施の形態に係る小電力無線装置の構成を示す。図６（ａ）にはアンテナ部４１が設けられた無線タグ７からなる小電力無線装置を示し、図６（ｂ）には無線タグ７とアンテナ部４１とをＤ−Ｄ線で切断した場合の断面図を示す。
【００４５】
図６（ｂ）に示すように、アンテナ部４１は、無線タグ７のケースの上ブタＡに設けられた平板状の静電結合式近接電界アンテナ２５と、この平板状の静電結合式近接電界アンテナ２５の上面および上ブタＡの一部に塗布されたニス層４３を備えている。
【００４６】
図７にはアンテナ部４１の製造方法のフローチャートを示す。
【００４７】
次に、図７を参照して、上ブタＡに形成されたアンテナ部４１の製造方法を説明する。
【００４８】
まず、上蓋Ａ、エッチング液、エッチング袋、マスキングシートを準備する。
【００４９】
ステップＳ１１１では、平板状の導体のパターン図をマスキングシートに描き、不要な部分を切断してマスクパターンを作成する。そして、上蓋Ａの銅箔が蒸着された表面にこのマスクパターンを貼り付けてマスキングする。ステップＳ１１３では、上蓋Ａの銅箔上にパターンが貼り付けられた面をエッチング液に浸け、パターンが貼られた箇所を除く面から銅薄を除去し、上蓋Ａを洗浄する。
【００５０】
次いで、ステップＳ１１５では、上蓋Ａに形成された平板状の導体を取り付ける。ステップＳ１１７では、上蓋Ａに形成された平板状の導体の上面に高周波ニスを塗布する。
【００５１】
この結果、上蓋Ａの上面に静電結合式近接電界アンテナ２５が形成される。
【００５２】
次に、図６を参照して、小電力無線装置の動作を説明する。
【００５３】
まず、無線タグ７は、基本波を定期的に発振してＩＤコードを変調した電磁波を送信する。無線タグ７のケースには静電結合式近接電界アンテナ２５が接着されているので、無線タグ７から送信された電磁波は静電結合式近接電界アンテナ２５に誘起し、静電結合式近接電界アンテナ２５から電磁界が２次輻射される。
【００５４】
この結果、従来のように無線タグ７単体を用いる場合よりも、無線タグ７に静電結合式近接電界アンテナ２５を接着した小電力無線装置から送信される電磁波の方が効率的に空間に輻射されるので、空間を伝搬した電磁波が受信機１まで到達するときの到達距離を伸ばすことができる。
【００５５】
（第４の実施の形態）
図８に本発明の第４の実施の形態に係る小電力無線装置の構成を示す。図８（ａ）にはアンテナカード４７が挿入されたカードケース４５を示し、図８（ｂ）にはアンテナカード７１とカードケース７７とをE−E線で切断した場合の断面図を示し、図８（ｃ）にはアンテナカード４７と無線タグ７とがともにカードケース４５に挿入されたことを示し、図８（ｄ）にはアンテナカード４７と無線タグ７とが挿入されたカードケース４５をF−F線で切断した場合の断面図を示す。
【００５６】
図８（ｂ）に示すように、アンテナカード４７は、透明なプラスチックの樹脂からなるカード形状のカード基台５１と、カード基台５１上に接着された静電結合式近接電界アンテナ２５と、カード基台５１上に形成された静電結合式近接電界アンテナ２５を覆うようにして収納するシール層４９を備えている。
【００５７】
次に、図８を参照して、小電力無線装置の動作を説明する。
【００５８】
まず、無線タグ７は、基本波を定期的に発振してＩＤコードを変調した電磁波を送信する。無線タグ７のケースには静電結合式近接電界アンテナ２５が接着されているので、無線タグ７から送信された電磁波は静電結合式近接電界アンテナ２５に誘起し、静電結合式近接電界アンテナ２５から電磁界が２次輻射される。
【００５９】
この結果、従来のように無線タグ７単体を用いる場合よりも、無線タグ７に静電結合式近接電界アンテナ２５を接着した小電力無線装置から送信される電磁波の方が効率的に空間に輻射されるので、空間を伝搬した電磁波が受信機１まで到達するときの到達距離を伸ばすことができる。
【００６０】
（第５の実施形態）
図２に本発明の第５の実施の形態に係る小電力無線装置の構成を示す。
【００６１】
本発明は前記第一の実施形態乃至第５の実施形態において、静電結合式近接電界アンテナ２５に、無線タグから発生する電磁波の１／４波長の整数倍となる長さの導線２７を接続している。
【００６２】
これにより、導線２７を接続しない静電結合式近接電界アンテナ２５よりも、導線２７を接続した静電結合式近接電界アンテナ２５を接着した小電力無線装置から送信される電磁波の方が効率的に空間に輻射されるので、空間を伝搬した電磁波が受信機１まで到達するときの到達距離を伸ばすことができる。
【００６３】
（第6の実施形態）
本発明の第６の実施形態に係る動作原理を図３の小電力無線装置概念図を用いて説明する。
【００６４】
図３に示すタグ内蔵の電界型アンテナからは、電磁界のうちの電界成分が支配的な輻射がまず行われる。それが、タグ外部の静電結合方式近接アンテナ２５へ、静電結合により結合され、ここから電磁界成分として空間へエネルギー輻射される。さらにこのエネルギー輻射された電磁波のうちの磁界成分が、近接磁界アンテナ９へ結合し、磁界成分として空間へ再輻射される。
【００６５】
図９に本発明の第６の実施の形態に係る小電力無線装置の構成を示す。
【００６６】
図９（a）にはアンテナシール５５が貼り付けられた無線タグ７からなる小電力無線装置を示し、図９（ｃ）には前記小電力無線装置のアンテナシール２９が貼り付けられた背面図を示し、図９（ｂ）には図９（ａ）、（ｂ）に示す無線タグ７、アンテナシール２９およびアンテナシール５５とをＧ−Ｇ線で切断した場合の断面図を示す。
【００６７】
図９（ｂ）に示すように、無線タグ７は、集積回路素子を含む電子回路基板７ａ、アンテナ７ｂ及び電池７ｃを備え、電子回路基板７ａ上に設けられた集積回路素子により所定の信号処理を行い、基本波を定期的に発振してＩＤコードを変調した電磁波をアンテナを介して送信する。アンテナシール２９は、片面が無線タグ７のケースに接着面を介して接着するプラスチックの樹脂からなるシール層３１と、シール層３１の他面に接着させるプラスチックの樹脂からなるラミネート層３３と、シール層３１とラミネート層３３との間に収納された平板状の静電結合式近接電界アンテナ２５を備えている。
【００６８】
アンテナシール５５は、片面が無線タグ７のケースに接着面を介して接着するプラスチックの樹脂からなるシール層５６と、シール層５６の他面に接着させるプラスチックの樹脂からなるラミネート層５７と、シール層５６とラミネート層５７との間に収納された近接磁界アンテナ９を備えている。
【００６９】
図１０には、図９に示す近接磁界アンテナ９の構造を示している。
【００７０】
近接磁界アンテナ９は、無線タグ７から送信される電磁波の波長に対して、全周が０．５波長以下の円形状、又は正方形状の導体５４の両端にコンデンサ５３を接続した閉ループからなっている。この構造により近接磁界アンテナ９は送信された電磁波と共振し、共振時に導体５４とコンデンサ５３とがなす閉ループのインピーダンスが非常に低い値（一般的には０．数Ω）となるので、大きな高周波電流が誘起され、この高周波電流により、近傍界に強力な磁界が発生することで効率良い輻射が行われる。
【００７１】
図９に示すように、無線タグ７に静電結合式近接電界アンテナ２５及び近接磁界アンテナ９を備えた場合には、さらに効率良い輻射が行われる。
【００７２】
タグ内蔵の電界型アンテナからは、電磁界のうちの電界成分が支配的な輻射がまず行われる。それが、タグ外部の静電結合方式近接アンテナ２５へ、静電結合により結合され、ここから電磁界成分として空間へエネルギー輻射される。さらにこのエネルギー輻射された電磁波のうちの磁界成分が、近接磁界アンテナ９へ結合し、磁界成分として空間へ再輻射される。この時、すなわち、共振時に導体５４とコンデンサ５３とがなす閉ループのインピーダンスが非常に低い値（一般的には０．数Ω）となるので、大きな高周波電流が誘起され、この高周波電流により近傍界に効率良い輻射が行われる。
【００７３】
また、近接磁界アンテナ９のインピーダンスが極めて低くなるので、一般的な動作インピーダンスが高い電界型のアンテナのみを使用する場合に比べ、近接する物体や人体などによりインピーダンスが乱されにくい特長がある。そのため、小電力無線装置を装着する物体や人体の影響によって送信される電磁波が弱められるのを防止することができる。
【００７４】
これにより、１つのタグにもかかわらず、電界結合方式近接電界アンテナからのハイインピーダンスでの電界輻射と、磁界結合方式近接磁界アンテナからのローインピーダンスでの磁界輻射の２つのモードで電界輻射がなされる。
【００７５】
この結果、従来のように無線タグ７単体を用いる場合よりも、静電結合式近接電界アンテナ２５及び近接磁界アンテナ９を備えた小電力無線装置から送信される電磁波の方が無線タグを物体や人体へ装着した状態でも効率的に空間に輻射されるので、空間を伝搬した電磁波が受信機１まで到達するときの到達距離を伸ばすことができる。
【００７６】
ここで、図９に示す近接磁界アンテナ９の定量的な数値例を説明する。いま、無線タグ７に近接した導体のサイズについて、Ｎをループ状導体のターン数（回）、Ｗを導体の１辺の長さ（ｍ）（形状が正方形の場合を仮定）、ａを導体の半径（ｍ）（導体が線状と仮定）、μｓを比透磁率とすると、このインダクタンスは以下の数式で定義される。
【数９】
2007174582.tif 000011
【００７７】
この数式に実際のシステムに適用する各種無線タグサイズを考慮して、適切な値を代入して導体サイズと、コンデンサの容量値を決定すればよい。
【００７８】
例えば、Ｌ＝約４０（ｎＨ）となるサイズの導体構造とした場合には、Ｃ＝約７（ＰＦ）のコンデンサを接続すれば、
【数１０】
2007174582.tif 000012
【００７９】
の関係により無線タグの動作周波数を約３００ＭＨｚと仮定すれば、この電磁波を効率良く２次輻射できる。
【００８０】
（実験結果）
図１２に示す図を参照して、上述した第１乃至第６の実施の形態に係る小電力無線装置の電解強度について説明する。
【００８１】
テスト１は、従来のように無線タグのみに関する実験結果であり、テスト２は第１乃至第５の実施の形態に係る小電力無線装置、すなわち、静電結合式近接電界アンテナを無線タグに近接した小電力無線装置に関する実験結果であり、テスト３は第６の実施の形態に係る小電力無線装置、すなわち、静電結合式近接電界アンテナ及び近接磁界アンテナを無線タグに近接した小電力無線装置に関する実験結果である。
【００８２】
本実験は、図１２に示すとおり、テスト１では無線タグを、テスト２乃至テスト３においては小電力無線装置を人体に装着し、無線タグ又は小電力無線装置から３ｍ離れた場所での電界強度を測定することによって、本発明の効果を確認することを目的としている。
【００８３】
実験結果は図１２に示すように、テスト１の場合の電界強度測定結果は約２００μＶ／ｍ、テスト２の場合の電界強度測定結果は約３００μＶ／ｍ、テスト３の場合の電界強度測定結果は約４００μＶ／ｍとなり、本発明により、静電結合式近接電界アンテナを無線タグに近接した小電力無線装置の電界強度は無線タグのみの電界強度の約１．５倍、静電結合式近接電界アンテナ及び近接磁界アンテナを無線タグに近接した小電力無線装置の電界強度は無線タグのみの電界強度の約２倍に向上することが検証できた。
【００８４】
（発明の効果）
本発明によれば、電磁波の送信電力が規制されている無線タグを物体や人体といった、電磁波を吸収し弱めてしまうものへ装着した場合でも、無線タグから輻射される電磁波が近接された静電結合式近接電界アンテナ及び／又は近接磁界アンテナにより効率良く空間へ２次輻射されるので、その受信可能距離は無線タグのみを自由空間に置いたような理想的な場合に近い性能を維持することができる。
【００８５】
しかも、近接磁界アンテナはその動作インピーダンスが極めて低く小型であるため、直近周囲の物体や人体によりインピーダンスが乱されたり、アンテナ上の分布電流が乱されにくい。従って、近接磁界アンテナが無線タグとともに一体になって物体や人体に装着されても、その性能が劣化しにくく、特に、人体に装着した場合など、人が手で触れたり、ポケットへ入れたりしても、その影響を受けにくいという利点もある。
【００８６】
また、非常に小型の静電結合式近接電界アンテナ又は／及び近接磁界アンテナを無線タグに近接する場合、無線タグの内部回路と物理的あるいは電気的に接続することがなく、単純に無線タグの直近に置くだけでよいため、非常に簡単に本発明の小電力無線装置を実現することができ、しかも、対象とする無線タグの形状、サイズ、製造メーカー、種類などを問わず、様々な対象に対して適用が可能である。
【００８７】
しかも、静電結合式近接電界アンテナの構成要素は導体のみであり、近接磁界アンテナの構成要素についても導体とコンデンサのみであり、能動部品を必要としないため、原理的には機器寿命は無限長であり、極めて信頼性が高く、しかも安価で経済性にも優れている。
【００８８】
この静電結合式近接電界アンテナ及び／又は近接磁界アンテナを薄い銅箔などの導体で形成し、全体をシード状に薄く、コンパクトに製作することで、簡単に無線タグ本体ケースの表面などへ取り付けることができる。これより短時間で容易に加工でき、出来上がりも極めて単純である。
【００８９】
更に、この静電結合式近接電界アンテナ及び／又は近接磁界アンテナを一般に広く使用されているカードケース、或いは名札ケースの表面や、内面に取り付ければ、このケースに様々なタイプ（ただし電磁界ループアンテナと共振周波数が一致していることが条件）の無線タグを入れるだけで、極めて簡単に、装着物体の影響によって電磁波の到達距離が低下しにくい、無線タグシステムを構築できる。
【図面の簡単な説明】
【００９０】
【図１】本発明の第１の実施形態に係る動作原理を示す。
【図２】本発明の第５の実施形態に係る動作原理を示す。
【図３】本発明の第６の実施形態に係る動作原理を示す。
【図４】本発明の第１の実施の形態に係る小電力無線装置の構成を示す図であり、（ａ）は受信機１を示し、（ｂ）はアンテナシール２９が貼り付けられた無線タグ７からなる小電力無線装置を示し、（ｃ）は（ｂ）に示す無線タグ７とアンテナシール２９との断面図を示す。
【図５】本発明の第２の実施の形態に係る小電力無線装置の構成を示す図であり、（ａ）はアンテナシール３５が貼り付けられた無線タグ７からなる小電力無線装置を示し、（ｂ）は無線タグ７とアンテナシール２１との断面図を示す。
【図６】本発明の第３の実施の形態に係る小電力無線装置の構成を示す図であり、 （ａ）はアンテナ部４１が設けられた無線タグ７からなる小電力無線装置を示し、（ｂ）は無線タグ７とアンテナ部４１との断面図を示す。
【図７】図６に示すアンテナ部４１の製造方法のフローチャートを示す。
【図８】本発明の第４の実施の形態に係る小電力無線装置の構成を示す図であり、（ａ）はアンテナカード４７が挿入されたカードケース４５を示し、（ｂ）はアンテナカード４７とカードケース４５との断面図を示し、（ｃ）はアンテナカード４７と無線タグ７とがともにカードケース４５に挿入されたことを示し、（ｄ）はアンテナカード４７と無線タグ７との断面図を示す。
【図９】本発明の第６の実施の形態に係る小電力無線装置の構成を示す図であり、（a）にはアンテナシール５５が貼り付けられた無線タグ７からなる小電力無線装置を示し、図９（ｃ）には前記小電力無線装置のアンテナシール２９が貼り付けられた背面図を示し、図９（ｂ）には図９（ａ）、（ｂ）に示す無線タグ７、アンテナシール２９およびアンテナシール５５とをＧ−Ｇ線で切断した場合の断面図を示す。
【図１０】本発明の第６の実施の形態に係る近接磁界アンテナ９の構造を示す。
【図１１】ある空間の原点にある長さｌの電気ダイポールから距離ｒだけ離れた場所Pにおける電荷量をq(t) (tは時刻) とした場合の電界、磁界の各成分を示す。
【図１２】小電力無線装置の形態と人体に小電力無線装置を装着した場合の小電力無線装置から３ｍ離れた地点における電解強度との関係を示す。
【図１３】従来の無線タグシステムであり、（ａ）は受信機１を示し、（ｂ）は人体に装着された無線タグを示し、（ｃ）は無線タグが挿入された名札ケースを示す。
【符号の説明】
【００９１】
１  受信機
７  無線タグ
２５  静電結合式近接電界アンテナ
２９，３５  アンテナシール
４１  アンテナ部
４５  カードケース
４７  アンテナカード
【図１】
2007174582.tif 000013
【図２】
2007174582.tif 000014
【図３】
2007174582.tif 000015
【図４】
2007174582.tif 000016
【図５】
2007174582.tif 000017
【図６】
2007174582.tif 000018
【図７】
2007174582.tif 000019
【図８】
2007174582.tif 000020
【図９】
2007174582.tif 000021
【図１０】
2007174582.tif 000022
【図１１】
2007174582.tif 000023
【図１２】
2007174582.tif 000024
【図１３】
2007174582.tif 000025